(57)【要約】【課題】  ヒータの容量を極力抑えた上で乾燥室内を短時間に乾燥処理に最適な温度雰囲気にすることができ、感光材料に対する乾燥処理の安定化を図ることができる写真処理装置を提供する。【解決手段】  露光処理された感光材料Ｐを現像液Ｗに浸漬して現像する現像処理部３と、該現像処理部３から送り込まれた感光材料Ｐを搬送系４１０で搬送しつつ乾燥させる乾燥処理部４とを備え、該乾燥処理部４は、前記搬送系４１０が内装された乾燥室Ｄを有するとともに、発熱させたヒータ４００の熱気を電動ファン４０２の送風によって前記乾燥室Ｄに送り込むように構成された熱風発生装置４０を備えてなる写真処理装置において、前記電動ファン４０２は、回転数可変に構成されたＤＣモータ４０２ａで駆動するように構成されてなることを特徴とする。【選択図】図１
2005215451.tif 000002
【特許請求の範囲】
【請求項１】
露光処理された感光材料を現像液に浸漬して現像する現像処理部と、該現像処理部から送り込まれた感光材料を搬送系で搬送しつつ乾燥させる乾燥処理部とを備え、該乾燥処理部は、前記搬送系が内装された乾燥室を有するとともに、発熱させたヒータの熱気を電動ファンの送風によって前記乾燥室に送り込むように構成された熱風発生装置を備えてなる写真処理装置において、前記電動ファンは、回転数可変に構成されたＤＣモータで駆動するように構成されてなることを特徴とする写真処理装置。
【請求項２】
前記ＤＣモータは、駆動回路から出力される外部パルスを入力することで回転駆動するブラシレス式が採用されてなる請求項１記載の写真処理装置。
【請求項３】
前記熱風発生装置は、少なくとも始動時に前記ヒータとともに発熱させる補助ヒータを更に備え、該補助ヒータを発熱させた際に、ヒータのみを発熱させた状態に比して前記ＤＣモータの回転数を高回転数で駆動させるように構成されてなる請求項１又は２記載の写真処理装置。
【請求項４】
前記ＤＣモータは、回転数を検出する検出センサーを備えるとともに、該検出センサーの検出結果に基づき、前記ＤＣモータの回転数が表示される表示手段を備えてなる請求項１乃至３の何れかに記載の写真処理装置。
【請求項５】
前記検出センサーの検出結果に基づき、前記ＤＣモータが所定の回転数以外の回転数で回転しているか否かを判断する判断手段を備え、該判断手段による判断の結果に基づき、前記ＤＣモータが所定の回転数以外の回転数で回転していると判断された場合に警告する警告手段を備えてなる請求項４記載の写真処理装置。
【請求項６】
前記ヒータが発熱量可変に構成されてなる請求項１乃至５の何れかに記載の写真処理装置。
【請求項７】
前記ヒータの発熱量に対応する送風量が予め設定され、前記電動ファンは、前記ＤＣモータの回転数がヒータの発熱量に対応した送風量となる設定回転数に自動的に変化するように構成されてなる請求項６記載の写真処理装置。
【請求項８】
感光材料に対する乾燥室での乾燥温度を予め設定可能に構成されるとともに、乾燥室内の温度を検出する温度センサーを更に備え、前記電動ファンは、前記温度センサーによる乾燥室内の実測温度と前記乾燥温度との差に応じて前記ＤＣモータの回転数が随時変化し、前記乾燥室内を前記乾燥温度で維持可能な風量で送風するように構成されてなる請求項１乃至７の何れかに記載の写真処理装置。
【発明の詳細な説明】
【技術分野】
【０００１】
本発明は、露光処理された感光材料に対して現像処理を施してプリントを行う写真処理装置に関する。より具体的には、現像処理の施された感光材料を乾燥させる乾燥処理部を備えた写真処理装置に関する。
【背景技術】
【０００２】
従来から、写真フィルムに形成された駒画像や、デジタルカメラで撮影された画像をプリントする写真処理装置として、露光済みの感光材料を現像液に浸漬して現像する現像処理部と、現像処理部から送られてくる感光材料を搬送系で搬送させつつ強制乾燥させる乾燥処理部とを備えたものがある。
【０００３】
前記乾燥処理部は、前記搬送系を内装した乾燥室を有するとともに、発熱させたヒータの熱気を電動ファンの送風によって前記乾燥室に送り込むように構成された熱風発生装置を備えている。
【０００４】
前記搬送系は、前記乾燥室に対して着脱可能に構成されたラックに内装されており、前記ラックは、搬送系で感光材料が詰まった場合等において、乾燥室から取り外してメンテナンス（感光材料の除去等）を行えるようになっている。
【０００５】
前記熱風発生装置は、熱線等からなるヒータと、該ヒータの熱を前記乾燥室に誘導する送風ダクトと、発熱させたヒータの熱気を前記送風ダクトを介して乾燥室に強制的に送り込む電動ファンとを備えている。
【０００６】
前記送風ダクトは、搬送系で搬送されている感光材料に向けて熱風を吹き付け得るように熱風吹出口が設けられており、前記乾燥室は、該送風ダクトによって画定された態様をなしている。
【０００７】
前記電動ファンは、駆動源である電動機と、該電動機によって駆動されるシロッコファンやクロスフローファン等の送風機とで構成されている。当該写真処理装置は、交流の供給電力で稼働するように構成されているため、該電動ファンの電動機にはＡＣモータが採用されている。
【０００８】
写真処理装置（乾燥処理部）は、感光材料に対する乾燥の質を安定させるべく、始動時において、発熱させたヒータの熱を電動ファンによる送風で乾燥室内に送り込み、該乾燥室内が所定温度に達した後（温度雰囲気になってから）、感光材料を搬送系で搬送しつつ乾燥処理するように構成されている。
【発明の開示】
【発明が解決しようとする課題】
【０００９】
ところで、写真処理装置は、温度や湿度（気候）等の環境の異なる種々の地域に納入されるため、熱風発生装置におけるヒータの容量は、乾燥処理の条件として最も悪条件な地域（例えば、寒冷地）であっても最適な乾燥処理を行えるように設定されている。
【００１０】
すなわち、電動ファンのＡＣモータは、定格回転数から更に回転数を上げると、回転トルクが低下する傾向にあり、乾燥室内を短時間で乾燥処理に最適な温度状態にすべく、電動ファンの送風量を多くしようとしても、送風機を駆動するのに十分な回転トルクを得ることができないため、乾燥処理にとって最も悪条件の環境下でも乾燥室内を短時間で最適な温度状態にすることができ、且つ十分な乾燥処理ができるように、前記写真処理装置のヒータには、大容量のヒータが設けられている。
【００１１】
このため、当該写真処理装置は、その他の環境下（乾燥処理をするのに適正な環境下）に設置するのに過剰な容量のヒータを備えたものになっている。
【００１２】
そこで、本発明は、斯かる実情に鑑み、ヒータの容量を極力抑えた上で乾燥室内を短時間に乾燥処理に最適な温度雰囲気にすることができ、感光材料に対する乾燥処理の安定化を図ることができる写真処理装置を提供することを課題とする。
【課題を解決するための手段】
【００１３】
本発明にかかる写真処理装置は、露光処理された感光材料を現像液に浸漬して現像する現像処理部と、該現像処理部から送り込まれた感光材料を搬送系で搬送しつつ乾燥させる乾燥処理部とを備え、該乾燥処理部は、前記搬送系が内装された乾燥室を有するとともに、発熱させたヒータの熱気を電動ファンの送風によって前記乾燥室に送り込むように構成された熱風発生装置を備えてなる写真処理装置において、前記電動ファンは、回転数可変に構成されたＤＣモータで駆動するように構成されてなることを特徴とする。なお、ここで「感光材料」とは、一方の面に乳剤面が形成された印画紙は勿論のこと、写真フィルムも含む概念であり、「現像液」とは、感光材料の現像処理に用いられる液（現像液、漂白液、定着液、安定洗浄液等）の総称である。
【００１４】
上記構成の写真処理装置によれば、電動ファンが回転数可変に構成されたＤＣモータで駆動するように構成されているので、電動ファンの送風量を多くすべく、ＤＣモータの回転数を高くしても、回転トルクが低下することがなく、必要に応じた送風を行うことができる。すなわち、ＤＣモータは、電圧を高くすると、回転数が高まるとともに、回転トルクが高くなる特性を有しているので、送風量を多くすべく回転数を上げても、当該電動ファンを必要且つ十分に駆動することができる。これにより、ヒータの熱気を乾燥室内に効率良く送り込むことができ、短時間で乾燥室内を乾燥処理に最適な温度雰囲気にすることができる。また、乾燥室を前記温度雰囲気にした状態で感光材料を搬送系で搬送することで安定した乾燥処理を実現することができる。
【００１５】
前記ＤＣモータは、駆動回路から出力される外部パルスを入力することで回転駆動するブラシレス式が採用されてもよい。このようにすれば、ブラシ付きＤＣモータに比して静音化を図ることができ、さらに回転数の制御を柔軟に行うことができる。これにより、電動ファンの送風量等の制御を精度良く行うことができる。
【００１６】
前記熱風発生装置は、少なくとも始動時に前記ヒータとともに発熱させる補助ヒータを更に備え、該補助ヒータを発熱させた際に、ヒータのみを発熱させた状態に比して前記ＤＣモータの回転数を高回転数で駆動させるように構成してもよい。このようにすれば、始動時の総発熱量を大きくすることができ、これに対応してＤＣモータを高速回転させて電動ファンの送風量を多くすることで、乾燥室内に多くの熱量を送り込むことができ、該乾燥室を更に短時間で乾燥処理に適した温度雰囲気にすることができる。
【００１７】
さらに、前記ＤＣモータは、回転数を検出する検出センサーを備えるとともに、該検出センサーの検出結果に基づき、前記ＤＣモータの回転数が表示される表示手段を備えた構成にしてもよい。このようにすれば、表示手段による表示で電動ファンの駆動状態（ＤＣモータの回転状態）を一目で確認することができる。
【００１８】
また、前記検出センサーの検出結果に基づき、前記ＤＣモータが所定の回転数以外の回転数で回転しているか否かを判断する判断手段を備え、該判断手段による判断の結果に基づき、前記ＤＣモータが所定の回転数以外の回転数で回転していると判断された場合に警告する警告手段を備えた構成にしてもよい。このようにすれば、警告手段の警告によりＤＣモータが所定の回転数で駆動しているか否かを認識することができ、例えば、警告手段の警告によってＤＣモータの回転が低下していることが判るので、熱風発生装置（ヒータ）が発熱状態であっても、ヒータが過剰に発熱して破損しまう等といった事態になるのを未然に防止することができる。特に、ヒータに熱線型のものを採用した場合には顕著な効果を得ることができる。また、判断手段の判断結果（警告手段の警告）をＤＣモータが故障であることや、ＤＣモータが寿命であること（交換時期にあること）等の判断基準にすることができる。
【００１９】
また、メンテナンス性を考慮して前記搬送系が乾燥室に対して着脱可能に構成された場合には、乾燥室内における搬送系の有無を認識することもできる。すなわち、乾燥室内から搬送系が取り外されている場合には、乾燥室内に搬送系が内装された状態に比して電動ファンが乾燥室に多量を風を送り込むことになるので、当該電動ファンの負荷が大きくなり、乾燥室内に搬送系が内装された状態（通常の状態）に比して、ＤＣモータの回転数が低くなる。したがって、搬送系の有無を検出するセンサー等を設けなくても、判断手段で搬送系の有無を判断することができ、警告手段の警告によりその旨を認識することができる。これにより、メンテナンス等で搬送系が取り外された状態で写真処理装置を稼働させてしまうといった事態になるのを防止することができる。
【００２０】
さらに、搬送系で搬送される感光材料に向けて熱風を直接吹き付けるように熱風発生手段を構成した場合には、搬送系での感光材料の詰まりを認識することができる。すなわち、搬送系で感光材料が詰まった場合には、該感光材料の存在により、熱風の送風が阻害されるので、電動ファンの負荷が小さくなり、ＤＣモータの回転数が上がることになる。したがって、搬送系での感光材料の詰まり等についても判断手段で判断することができ、警告手段の警告によりその旨を認識することができる。
【００２１】
さらに、前記ヒータが発熱量可変に構成されてもよい。このようにすれば、当該写真処理装置が設置される環境に応じた発熱量でヒータを発熱させることができる。この場合、前記ヒータの発熱量に対応する送風量が予め設定され、前記電動ファンは、前記ＤＣモータの回転数がヒータの発熱量に対応した送風量となる設定回転数に自動的に変化するように構成されることが好ましい。このようにすれば、自動的にヒータの発熱量に対応した適切な風量で送風することができ、送風量の設定間違いのような人為的な要因でヒータが破損したりするのを防止することができる。特に、ヒータに熱線式のものを採用した場合には、ヒータの延命を極めて顕著にすることができる。
【００２２】
また、感光材料に対する乾燥室での乾燥温度を予め設定可能に構成されるとともに、乾燥室内の温度を検出する温度センサーを更に備え、前記電動ファンは、前記温度センサーによる乾燥室内の実測温度と前記乾燥温度との差に応じて前記ＤＣモータの回転数が随時変化し、前記乾燥室内を前記乾燥温度で維持可能な風量で送風するように構成されてもよい。このようにすれば、前記乾燥室内を前記乾燥温度で維持させるのに必要な熱量、及び風量の熱風が、乾燥室に送り込まれることになり、乾燥室内を常に設定した乾燥温度（温度雰囲気）、或いは乾燥温度近傍の温度に維持させることができ、質の高い乾燥処理を行うことができる。
【発明の効果】
【００２３】
本発明にかかる写真処理装置によれば、前記電動ファンが回転数可変に構成されたＤＣモータで駆動するように構成されているので、ヒータの容量を極力抑えた上で乾燥室内を短時間に乾燥処理に最適な温度雰囲気にすることができ、感光材料に対する乾燥処理の安定化を図ることができるといった優れた効果を奏し得る。
【発明を実施するための最良の形態】
【００２４】
以下、本発明の一実施形態にかかる写真処理装置について、添付図面を参照しつつ説明する。
【００２５】
本実施形態にかかる写真処理装置は、図１に示す如く、該写真処理装置の操作を行う操作部１と、感光材料である印画紙に露光処理を施す露光処理部２と、露光処理部２で露光処理が施された印画紙に現像処理を施す現像処理部３と、現像処理部３で現像処理が施された印画紙を乾燥させる乾燥処理部４と、該乾燥処理部４で乾燥した印画紙をオーダー、及びサイズ毎に仕分けて回収する回収部５とで構成されている。
【００２６】
前記操作部１は、図２に示す如く、各処理の処理状況や操作案内等を表示するモニター１０と、該モニター１０の表示に基づいて入力操作を行うための入力装置１１と、ＣＤ−ＲＯＭやメモリーカード等のメディアから画像データを読み込む読込装置１２と、写真フィルムに形成された駒画像を読み込むスキャナー装置１３と、入力装置１１からの入力データや、読込装置１２やスキャナー装置１３で読み込んだ画像データを適宜演算処理し、露光処理部２の動作等を制御する演算処理装置（ＣＰＵ１４０、ＲＯＭ１４１、ＲＡＭ１４２等）がマウントされた制御基板１４４を内装したコンピュータ本体１４とを備えている。
【００２７】
前記モニター１０は、後述する電動ファン４０２のＤＣモータ４０２ａの回転数を表示する表示手段、及び後述する熱風発生装置（乾燥処理部４）でのトラブル状態を警告する警告手段として機能するようにも構成されている。
【００２８】
本実施形態にかかる入力装置１１には、キーボード１１０、及びマウス１１１が採用されている。本実施形態において、前記モニター１０、入力装置１１（キーボード１１０、マウス１１１）、読込装置１２、及びスキャナー装置１３は、Ｉ／Ｏインターフェイス１４５を介して前記コンピュータ本体１４（ＣＰＵ１４０）に接続されている。
【００２９】
前記露光処理部２は、ロール状にされた長尺な印画紙Ｐを収納する一対のマガジン２０ａ，２０ｂと、該マガジン２０ａ，２０ｂから引き出された印画紙Ｐを所定の長さで切断する切断装置２１と、該切断装置２１により切断された印画紙Ｐを下流に向けて搬送する搬送装置２２と、該搬送装置２２により搬送されてきた印画紙Ｐを露光処理する露光装置２３とで構成されている。なお、マガジン２０ａ，２０ｂから引き出された印画紙Ｐを下流側（前記現像処理部３）に搬送すべく、各構成２０ａ，２０ｂ，２１，２２，２３間には印画紙Ｐを圧着搬送するローラ対が配設されている。
【００３０】
前記一対のマガジン２０ａ，２０ｂは、露光処理部２内の下部で横方向に併設されており、一方のマガジン２０ａには、一方の面を内側（乳剤面を外側）に位置させるようにロール状にされた幅の狭い長尺な印画紙Ｐが軸回りに回転可能に収納され、他方のマガジン２０ｂには、一方の面を内側（乳剤面を外側）に位置させるようにロール状にされた幅の広い（例えば、幅の狭い印画紙Ｐの略二倍、又は略三倍の幅の）印画紙Ｐが軸回りに回転可能に収納されている。
【００３１】
前記切断装置２１は、露光処理部２内の下部に配置された前記一対のマガジン２０ａ，２０ｂ間に位置して、前記一対のマガジン２０ａ，２０ｂのそれぞれの下流側に設けられている。該切断装置２１は、マガジンから引き出された印画紙Ｐを切断すべく、互いに接離する一対のカッター２１０ａ，２１０ｂを備えている。
【００３２】
前記搬送装置２２は、前記切断装置２１の下流側（上方）に設けられている。該搬送装置２２は、搬送方向に対して直交方向に所定間隔を有し、上下方向に（切断装置２１から露光装置２３に向けて）配された一対のレール２２０と、該レール２２０に沿って移動する一対の搬送体２２１とで構成されている。
【００３３】
前記一対の搬送体２２１のそれぞれは、各レール２２０に摺動可能に設けられており、前記レール２２０の長手（上下）方向に対して直交方向で移動する横方向移動体（図示しない）を備えている。該横方向移動体は、印画紙Ｐを把持可能に構成されており、幅の狭い印画紙Ｐ（一方のマガジン２０ａから引き出された印画紙Ｐ）を搬送する場合に、横方向に移動して先行する幅の狭い印画紙Ｐと、後続の幅の狭い印画紙Ｐの搬送系路を振り分け、これらの印画紙Ｐを搬送方向に対して直交方向で並列状態で搬送するようになっている。一方、幅の広い印画紙Ｐを搬送する際には、一対の搬送体２２１のそれぞれの横方向移動体で印画紙Ｐを把持して下流側に搬送するようになっている。
【００３４】
前記露光装置２３は、露光処理部２内の上部に設けられており、搬送中の印画紙Ｐの乳剤面を露光する露光ヘッド２３０と、該露光ヘッド２３０が印画紙Ｐの乳剤面を露光する露光領域を挟んで印画紙Ｐの搬送方向の上流側及び下流側（上下方向）のそれぞれに設けられた露光用搬送ローラ対２３１，２３１（一対の露光用搬送ローラ）とで構成されている。
【００３５】
前記露光ヘッド２３０は、ハロゲンランプ等からなる光源２３２と、該光源２３２に光ファイバー束２３３を介して接続された光シャッター２３４とで構成されており、該光シャッター２３４は、印画紙Ｐの搬送方向と直交したライン状をなし、搬送される印画紙Ｐの乳剤面と対向するように設けられている。
【００３６】
前記光シャッター２３４は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター２３４は、読み込まれた画像データに基づいて、操作部１のＣＰＵ１４０から電圧の印加、及び印加の停止が指示され、光源２３２からの光の透過及び遮断が制御されて印画紙ＰにＲＧＢ各色の光を照射して露光し得るように構成されている。
【００３７】
前記露光用搬送ローラ対２３１，２３１のそれぞれは、露光中の印画紙Ｐを圧着した状態で下流側（現像処理部３）に向けて搬送するように構成されている。
【００３８】
前記現像処理部３は、複数の槽３０ａ，３０ｂ，３０ｃ…からなる現像処理槽３０を備えており、前記現像処理槽３０における複数の槽３０ａ，３０ｂ，３０ｃ…のそれぞれには、搬送系３１を構成する複数のローラ対（図においては、一部のローラ対を示す）が内装されるとともに、現像液Ｗが入れられている。前記複数のローラ対は、連続したＳ字状の搬送経路を構成するように配置されている。
【００３９】
これにより、露光処理された印画紙Ｐが複数のローラ対で搬送されることで、各槽３０ａ，３０ｂ，３０ｃ…の現像液Ｗへの浸漬と現像液Ｗからの引き上げが繰り返されるようになっている。すなわち、該現像処理部３は、印画紙Ｐがローラ対の配置（Ｓ字状の搬送経路）に沿って湾曲しつつ搬送方向を切り替え、該印画紙Ｐにおける現像液Ｗへの浸漬と現像液Ｗからの引き上げがなされ、該印画紙Ｐの現像を行えるようになっている。
【００４０】
前記乾燥処理部４は、現像処理部３から送られてきた印画紙Ｐを乾燥させる乾燥室Ｄと、該乾燥室Ｄ内に熱風を送り出す熱風発生装置４０を収容した熱風発生装置収容部Ｓとに区画されている。前記乾燥室Ｄには、現像処理部３から送られてくる印画紙Ｐを受け取って下流側（回収部５）に向けて搬送する搬送系４１０を備えたラック４１が着脱可能に内装されており、搬送系４１０で印画紙Ｐが詰まった場合等にメンテナンス（詰まった印画紙Ｐの除去や清掃等）を行えるようになっている。
【００４１】
前記乾燥室Ｄは、前記ラック４１を収容可能に構成されるとともに、乾燥室Ｄ内の温度を検出する温度センサーが設けられており、本実施形態においては、温度センサーにサーミスタが採用されている。該温度センサー４２は、前記制御基板１４４に電気的に接続されており、乾燥室Ｄ内の温度を測定できるようになっている（図３参照）。なお、以下において特に明記しないが、乾燥処理部４における電気的な構成の接続等については図３を参照することとする。
【００４２】
前記熱風発生装置４０は、所定電気容量のヒータ４００と、発熱させたヒータ４００の熱気を前記乾燥室Ｄに誘導する送風ダクト４０１と、該送風ダクト４０１を介して前記ヒータ４００の熱気を前記乾燥室Ｄに強制的に送り込む電動ファン４０２とを備えている。さらに、該熱風発生装置４０は、該写真処理装置を始動させるに際し、前記ヒータ４００とともに発熱させる補助ヒータ４０３を備えている。
【００４３】
前記送風ダクト４０１は、管体で構成されており、下端部に前記ヒータ４００、及び補助ヒータ４０３が取り付けられる取付部が形成されている。該送風ダクト４０１は、前記乾燥室Ｄと熱風発生装置収容部Ｓとを画すかのように、乾燥処理部４内において上下に起立した状態で配設されている。該送風ダクト４０１は、乾燥室Ｄ内を搬送系４１０で搬送されている印画紙Ｐに向けて熱風を吹き付け得るように、周壁に熱風吹出口４０１ａが設けられている。
【００４４】
前記ヒータ４００は、熱線型のヒータであり、後述する電動機４０２ａを駆動する駆動基板４０２ｂに電気的に接続されており、供給電力の電流値を変えることで、発熱量が可変になっている。前記ヒータ４００は、発熱時の熱を乾燥室Ｄ内に誘導できるように、前記送風ダクト４０１の下端部（取付部）に取り付けられている。前記補助ヒータ４０３は、所定の熱量で発熱可能に構成されて熱線型のヒータであり、前記駆動基板４０２ｂに電気的に接続されている。本実施形態において、補助ヒータ４０３は一対設けられており、ヒータ４００の熱と同様に発熱時の熱を乾燥室Ｄ内に誘導できるように、前記ヒータ４００を挟むようにして前記送風ダクト４０１の下端部（取付部）に取り付けられている。
【００４５】
前記電動ファン４０２は、駆動源である電動機４０２ａと、該電動機４０２ａによって駆動される送風機４０２ｃとで構成されている。
【００４６】
前記電動機４０２ａには、回転数可変に構成されたＤＣモータが採用されている。より具体的に説明すると、該電動機４０２ａには、駆動基板４０２ｂからの外部パルス（電流）を受けて回転駆動するブラシレス式のＤＣモータ（ブラシレスＤＣモータ）が採用されている。該ブラシレスＤＣモータ４０２ａは、駆動基板４０２ｂ上に構成された駆動回路に電気的に接続されている。これにより、ブラシレスＤＣモータ４０２ａは、制御基板１４４からの指示信号に基づいて駆動基板４０２ｂ（駆動回路）から発信される外部パルスにより回転駆動し、駆動回路からの外部パルスの出力周波数（ブラシレスＤＣモータ４０２ａに対する入力周波数）を変えることで回転数が変わるようになっている。なお、ブラシレスＤＣモータ４０２ａを駆動するための駆動回路と、ヒータ４００、及び補助ヒータ４０３が接続された回路とは同一の駆動基板４０２ｂ上にあるが、電気的にはそれぞれ独立した回路を構成している。
【００４７】
また、該ブラシレスＤＣモータ４０２ａは、外部パルスの電圧を変化させることで、該電圧に対応してブラシレスＤＣモータ４０２ａに作用する磁力が変化することを利用し、回転トルクが磁力の強弱によって可変できるようになっている。したがって、回転数を高くするに当たり、回転トルクが不足する場合には、電圧を上げることで前記送風機４０２ｃを駆動するのに十分な回転トルクを得ることができる。
【００４８】
該ブラシレスＤＣモータ４０２ａは、回転数を検出する検出センサー４０２ｄを備えている。本実施形態において、検出センサー４０２ｄにはホールセンサー（ホール効果を用いて微小な磁気を検出するセンサー）が採用されている。該ホールセンサー４０２ｄは、前記制御基板１４４（制御回路）に電気的に接続されており、磁気の検出結果をデジタル信号として制御基板１４４に入力できるように設けられている。これにより、制御基板１４４内の処理（ＣＰＵ１４０の処理）により、入力信号（前記デジタル信号）に基づいて当該ＤＣモータ４０２ａの回転数を検出できるようになっている。
【００４９】
前記送風機４０２ｃには、クロスフローファンが採用されており、入力軸（図示しない）が前記ブラシレスＤＣモータ４０２ａの駆動軸（図示しない）に直結されている。
【００５０】
上記構成の熱風発生装置４０は、乾燥室Ｄ内を印画紙Ｐの乾燥処理において適切な温度雰囲気で維持できるように、前記ヒータ４００の発熱状態に対応した風量で風を送るようになっている。すなわち、熱風発生装置４０は、前記ヒータ４００の発熱量に応じて電動ファン４０２の送風量が予め設定されており、ヒータ４００の発熱量に対応した前記送風量となる設定回転数に前記ブラシレスＤＣモータ４０２ａの回転数が自動的に変化するように構成されている。
【００５１】
該写真処理装置は、上記構成の電動ファン４０２を駆動した際に、該電動ファン４０２が所定の風量以外の風量、すなわち、ブラシレスＤＣモータ４０２ａの回転数が所定の回転数以外の回転数（所定の回転数よりも高回転、或いは低回転）になっているか否かを判断する判断手段を備えるとともに、該判断手段による判断の結果に基づき、ブラシレスＤＣモータ４０２ａが所定の回転数以外の回転数で回転していると判断された場合に警告する警告手段を備えている。
【００５２】
本実施形態にかかる前記判断手段は、制御基板１４４上の制御回路で構成されており、前記警告手段として、前記操作部１のモニター１０に加え、前記制御基板１４４（制御回路）に電気的に接続された警報器１５（ブザー）が採用されており、警告内容を前記モニター１０に表示するとともに警報を発するように構成されている。前記モニター１０に表示される警告内容としては、前記ラック４１（搬送系４１０）が乾燥室Ｄ内から取り外された状態である旨、乾燥室Ｄ内（搬送系４１０）で印画紙Ｐ詰まりが発生した旨、電動機４０２ａの交換時期である旨等を設定されている。ブザー１６による警告は、前記警告内容に対応した音色、音量、又はこれらを組み合わせた音を発することにより行うように構成されている。
【００５３】
つまり、電動ファン４０２が印画紙Ｐを乾燥させるのに適切な状態（正常な状態）で駆動している場合において、ブラシレスＤＣモータ４０２ａは、外部パルスの入力周波数に略対応して所定（実際的には所定範囲）の回転数で回転するのに対し、ラック４１が乾燥室Ｄから取り外された状態で、電動ファン４０２の負荷が大きくなり（仕事量が増え）、所定の回転数よりも回転数が低くなる。その一方で、ラック４１（搬送系４１０）に印画紙Ｐが詰まった際には、該印画紙Ｐによって乾燥室Ｄ内への送風が阻害されて電動ファン４０２の負荷が小さくなり（仕事量が少なくなり）、所定の回転数よりも高くなる。これにより、上述の如く、ホールセンサー４０２ｄにより回転数を検出することで、この検出結果を基にして警告情報を前記モニター１０に表示するとともに、ブザー１５による警報を発し、電動ファン４０２の駆動状態を把握することができるようになっている。
【００５４】
該写真処理装置（乾燥処理部４）は、前記入力装置１１を介して印画紙Ｐに対する乾燥室Ｄ内における乾燥温度を任意に設定できるように構成されており、前記温度センサー４２の検出結果と設定した乾燥室Ｄ内の乾燥温度との差に応じ、電動ファン４０２の回転数を変えるように構成されている。つまり、乾燥室Ｄの実測温度が設定された乾燥温度よりも低い場合には、乾燥室Ｄ内に更に熱量を供給すべく、ブラシレスＤＣモータ４０２ａの回転数が高くなって電動ファン４０２からの送風量が多くなる一方で、乾燥室Ｄ内の実測温度が設定された乾燥温度よりも高い場合には、必要以上の熱量を乾燥室Ｄに供給しないように、ブラシレスＤＣモータ４０２ａの回転数が低くなって電動ファン４０２からの送風量が少なくなるようになっている。
【００５５】
これにより、ヒータ４００の発熱量を変えることなく（ヒータ４００の発熱状態を設定した発熱量で一定に保って）、電動ファン４０２の回転数（送風量）を可変にすることで、適宜風量の異なる熱風を乾燥室Ｄ内に送風することができ、乾燥室Ｄ内を設定した乾燥温度（温度雰囲気）で略一定に維持させることができる。
【００５６】
前記ラック４１は、板材を組み合わせたフレームと、該フレーム内に内装された前記搬送系４１０とで構成されている。前記搬送系４１０は、印画紙Ｐを圧着可能な複数のローラ対により構成されており、各ローラ対は、印画紙Ｐを送風ダクト４０１の熱風吹出口４０１ａと対向させた状態で搬送できるように、上流側から下流側に向けて配設されている。該ラック４１は、乾燥室Ｄ内に収容した状態で、搬送系４１０（ローラ対）に乾燥処理部４（乾燥室Ｄ）から駆動が伝達され得るようになっている。
【００５７】
前記回収部５は、図１、及び図２に示す如く、前記乾燥処理部４で乾燥処理された印画紙Ｐをサイズ毎に振り分ける前記振分装置５０と、該振分装置５０で振り分けた印画紙Ｐをオーダー毎に仕分ける仕分装置５１とで構成されている。
【００５８】
前記振分装置５０は、乾燥処理部４から搬送されてくる印画紙Ｐを振り分ける傾動可能な振分板５００を備えている。具体的には、搬送経路（乾燥処理部４）を通過した印画紙Ｐがサイズの小さな印画紙Ｐであるか、サイズの大きな印画紙Ｐであるかを上流側に配置されたセンサー（図示しない）が検知し、該検知結果に基づいて振分板５００の姿勢を変更させるようになっている。
【００５９】
センサーがサイズの小さな印画紙Ｐを検知した場合には、振分板５００が略水平を維持し、印画紙Ｐの一方の面が振分板５００の上面を摺動した状態で下流側の前記仕分装置５１の後述するコンベア５１０に向けて搬送される。
【００６０】
一方、センサーがサイズの大きな印画紙Ｐを検知した場合には、振分板５００が傾動する。このように振分板５００の姿勢を変更させると、上流側（乾燥処理部４）から搬送されてきた印画紙Ｐの他方の面（乳剤面）が、傾動した振分板５００の下面に摺接し、搬送経路がサイズの小さな印画紙Ｐの搬送される搬送経路に比して下方に向けて切り替えられ、該印画紙Ｐが下流側に配置されたトレー５０１に回収されるようになっている。
【００６１】
前記仕分装置５１は、印画紙Ｐの搬送方向に対して直交方向に移動する前記コンベア５１０と、該コンベア５１０によって運ばれてくる印画紙Ｐをオーダー毎に仕分ける仕分機構（図示しない）とで構成されている。
【００６２】
前記仕分機構は、上下方向に移動可能に配設された複数の受皿５１１…を備えており、該受皿５１１…が上下方向に移動することで、コンベア５１０によって搬送されてくる印画紙Ｐを各受皿５１１…にオーダー毎に振り分けるように構成されている。
【００６３】
次に、本実施形態にかかる写真処理装置の作動を説明する。まず、該写真処理装置を駆動すると、該写真処理装置は、ウォームアップすることになる。乾燥処理部４でのウォームアップは、まず、ヒータ４００、及び補助ヒータ４０３の破損を防止すべく、電動ファン４０２が始動する。そして、ヒータ４００、及び補助ヒータ４０３が発熱した後に、ブラシレスＤＣモータ４０２ａの回転数が、印画紙Ｐに対する乾燥処理時における所定の回転数よりも高くなり、クロスフローファン４０２ｃから所定の送風量よりも多い風量で送風され、ヒータ４００、及び補助ヒータ４０３からの熱気が送風ダクト４０１を介して乾燥室Ｄ内に強制的に送り込まれることになる。
【００６４】
そして、前記温度センサー４２により乾燥室Ｄ内が所定の温度雰囲気になったと判断されると、補助ヒータ４０３への通電が解除され、その後に、電動ファン４０２（ブラシレスＤＣモータ４０２ａ）の回転数が所定の回転数まで下がり、ウォームアップが解除される。したがって、ウォームアップ後は、所定の送風量でヒータ４００のみの熱気が乾燥室Ｄ内へ強制的に送り出され、印画紙Ｐを処理することができる状態となる。
【００６５】
そして、温度センサー４２により乾燥室Ｄ内の温度が随時検知され、予め設定した印画紙Ｐに対する乾燥室Ｄ内の乾燥温度と温度センサー４２による実測温度との差に応じて、ブラシレスＤＣモータ４０２ａの回転数が随時変化し、乾燥室Ｄ内への送風量が調節されることになる。すなわち、乾燥室Ｄ内の温度が設定した乾燥温度になるように、乾燥室Ｄの実際の温度と設定温度との差を補う熱量が、電動ファン４０２の風量を変化させることで短時間で強制的に送り込まれ、乾燥室Ｄ内が設定した乾燥温度で略一定に保たれることになる。したがって、乾燥室Ｄの実際の温度と設定温度とに差がない場合には、当然にブラシレスＤＣモータ４０２ａの回転数は略一定に保たれることになる。
【００６６】
その後、マガジン２０ａ，２０ｂに収容された印画紙Ｐは、下流側に引き出され、カッター２１０ａ，２１０ｂで所定サイズにカットされた後、搬送装置２２及び露光用搬送ローラ対２３１，２３１を介して露光装置２３の露光領域に向けて送られる。そして、印画紙Ｐは、下流側に搬送されつつ露光装置２３（露光ヘッド２３０）によって順次露光処理された後、現像処理部３に送られ、現像液Ｗに対する浸漬、及び引き上げが繰り返されて現像処理が施される。
【００６７】
現像処理部３から乾燥処理部４に送り込まれた印画紙Ｐは、乾燥温度（所定の温度雰囲気）に保った乾燥室Ｄ内の搬送系４１０によって下流側に搬送されつつ乾燥処理が施される。この際、印画紙Ｐの乳剤面は、送風ダクト４０１の熱風吹出口４０１ａと対向しており、乳剤面に熱風が強制的に吹き付けられた状態となっており、搬送系４１０を介して前記回収部５に到達するまでに、印画紙Ｐに付着した現像液Ｗの水分が蒸発して乾燥することになる。露光・現像・乾燥処理が施された印画紙Ｐは、回収部５においてサイズ毎、或いはオーダー毎に仕分けられ、単一の印画紙Ｐに対する一連の処理が完了する。
【００６８】
前記乾燥処理部４での印画紙Ｐの乾燥処理中において、何らかの原因で搬送系４１０で印画紙Ｐが詰まった場合、熱風吹出口４０１ａの前面に印画紙Ｐが存在することになり、熱風吹出口４０１ａから乾燥室Ｄ内に送り込みにくい状態、すなわち、熱風の流れが阻害された状態となるため、電動ファン４０２の仕事量（負荷）が小さくなり、ブラシレスＤＣモータ４０２ａの回転数が所定の回転数よりも高くなる。そうすると、ホールセンサー４０２ｄによるブラシレスＤＣモータ４０２ａの回転数の検出結果に基づき、モニター１０には、紙詰まりの虞が有る旨の警告が表示され、その警告に対応した警告音がブザー１５から発せられる。
【００６９】
そして、警告に基づいて詰まった印画紙Ｐを取り除いたり、搬送系４１０を含むラック４１のメンテナンスを行ったりするべく、ラック４１が乾燥室Ｄから取り外されて種々の作業が行われる。そして、オペレータが、ラック４１を取り外しているのにも拘わらず、該写真処理装置の運転を再開しようとすると、乾燥室Ｄ内にラック４１が存在しないため、乾燥処理部４の電動ファン４０２が送風ダクト４０１を介して乾燥室Ｄ内に大量の風を送り込もうとして仕事量が大きくなり、ブラシレスＤＣモータ４０２ａの回転数が所定の回転数よりも低くなる。そうすると、ホールセンサー４０２ｄによるブラシレスＤＣモータ４０２ａの回転数の検出結果に基づき、モニター１０には、ラック４１が乾燥室Ｄ内に入っていない旨の警告が表示され、その警告に対応した警告音がブザー１５から発せられる。
【００７０】
なお、検出センサーの検出結果により、ブラシレスＤＣモータ４０２ａの回転数が搬送系４１０で印画紙Ｐが詰まったと判断される回転数よりも低い、或いは、０と判断された場合には、電気系の不具合が発生している虞がある旨（例えば、コネクタが外れている虞がある旨）、或いは電動ファン４０２の交換時期等（電動ファン４０２が寿命）である旨がモニター１０に表示されるとともに、その警告に対応した警告音がブザー１５から発せられる。
【００７１】
以上のように、上記構成の写真処理装置によれば、乾燥処理部４に設けられた熱風発生装置４０の電動ファン４０２を駆動する電動機４０２ａに回転数可変に構成されたＤＣモータが採用されているので、送風量を多くすべく、ＤＣモータ４０２ａの回転数を高くしても、回転トルクが低下することがなく、電動ファン４０２を十分に駆動することができ、必要に応じた送風を行うことができる。これにより、当該写真処理装置は、ヒータ４００の容量を極力抑えた上で乾燥室Ｄ内を短時間に乾燥処理に最適な温度雰囲気にすることができ、印画紙Ｐに対する乾燥処理の安定化を図ることができる
【００７２】
また、前記ＤＣモータ４０２ａに、駆動基板４０２ｂから出力される外部パルスを入力することで回転駆動するブラシレス式のものが採用されているので、静音化を図ることができる。また、外部パルスの入力周波数を変えることで、回転数を変えることができるとともに、電圧を上昇させることで、クロスフローファン４０２ｃを駆動する回転トルクを十分に得ることができる。
【００７３】
さらに、該写真処理装置のウォームアップ時にのみ発熱させる補助ヒータ４０３を熱風発生装置４０に設け、印画紙Ｐの乾燥処理を行うに際し、ヒータ４００のみの熱量で乾燥室Ｄ内を所定の温度雰囲気に維持させるようにしたので、写真処理装置のウォームアップを短時間で行うことができるとともに、乾燥室Ｄ内を所定の温度雰囲気で維持させるのに必要な電力量を抑えることができる。
【００７４】
また、補助ヒータ４０３を発熱させた際に、ヒータ４００のみを発熱させた状態に比して前記ＤＣモータ４０２ａの回転数を高速回転で駆動させるように構成したので、ヒータ４００及び補助ヒータ４０３の熱量を効率的に乾燥室Ｄ内に導くことができ、補助ヒータ４０３への通電を短時間を解除することができる。これによっても、処理に必要な電力量を極力抑えることができる。
【００７５】
さらに、ＤＣモータ４０２ａに回転数を検出する検出センサー４０２ｄを設けるとともに、該検出センサー４０２ｄの検出結果に基づき、前記ＤＣモータ４０２ａの回転数を表示する表示手段を設けたので、ＤＣモータ４０２ａの駆動状態、すなわち、電動ファン４０２による送風状態を把握することができ、乾燥処理部４（熱風発生装置４０）におけるトラブルを未然に防止することができる。
【００７６】
また、前記表示手段として操作部１のモニター１０を兼用するようにしたので、特別な装置を設けることなく、ＤＣモータ４０２ａの回転状態を把握することができる。さらに、前記検出センサー４０２ｄにホールセンサーを採用したので、ＤＣモータ４０２ａの回転数の検出を精度よく行うことができる。
【００７７】
さらに、前記検出センサー４０２ｄの検出結果に基づき、ＤＣモータ４０２ａが所定の回転数以外の回転数で回転しているか否かを判断する判断手段（ＣＰＵ１４０等）を設けるとともに、該判断手段による判断の結果に基づき、ＤＣモータ４０２ａが所定の回転数以外の回転数で回転していると判断された場合に警告する警告手段１０，１５を設けたので、乾燥処理部４で発生し得るトラブル（ペーパー詰まりや、ラック４１の着け忘れ、ＤＣモータ４０２ａの寿命）を特別なセンサー等を設けることなく認識することができる。
【００７８】
また、警告手段として前記表示手段（前記モニター１０）を兼用するようにしたので、別途表示手段等を設けることなく、乾燥処理部４内のトラブルを認識することができる。
【００７９】
さらに、警告手段としてブザー１５を設けたので、視覚のみならず、聴覚にも乾燥処理部４内でのトラブル状態を訴えることができるので、仮にオペレータがモニター１０を視認することのできない場所にいたとしても、早急にトラブルを認識することができる。これにより、早期にトラブルを解消することができ、二次トラブルの発生を極力抑えることができる。
【００８０】
さらに、前記ヒータ４００が発熱量可変に構成したので、写真処理装置が設置される環境に応じてヒータ４００を発熱させることができる。その上、前記ヒータ４００の発熱量に対応する送風量を予め設定し、前記電動ファン４０２のＤＣモータ４０２ａの回転数がヒータ４００の発熱量に対応した前記送風量となる設定回転数に自動的に変化するように構成したので、ヒータ４００の発熱量を変えても適正な風量で乾燥室Ｄ内に熱風を送ることができる。これにより、送風量の設定間違いのような人為的な要因でヒータ４００が破損したりするのを防止することができる。
【００８１】
さらに、印画紙Ｐに対する乾燥室Ｄでの乾燥温度を予め設定できるように構成するとともに、乾燥室Ｄ内の温度を検出する温度センサー４２を設け、前記温度センサー４２による乾燥室Ｄ内の実測温度と前記乾燥温度との差に応じて前記ＤＣモータ４０２ａの回転数を随時変化させるようにしたので、乾燥室Ｄを設定した乾燥温度（温度雰囲気）に維持することができ、安定した質の高い乾燥処理を行うことができる。
【００８２】
尚、本発明の写真処理装置は、上記実施形態に限定されるものではなく、本発明の要旨を逸脱しない範囲内において種々変更を加え得ることは勿論である。
【００８３】
上記実施形態において、感光材料としての印画紙Ｐに露光処理、現像処理、乾燥処理を施す写真処理装置について説明したが、これに限定されるものではなく、例えば、撮影済みの写真フィルムに対して現像処理、乾燥処理を施す写真処理装置であってもよい。この場合においても、写真フィルムを現像液に浸漬して現像処理を施した後に、乾燥処理を施すため、該写真処理装置の乾燥処理部４を上記実施形態と同様に構成すれば、上記実施形態と同様の作用、効果を奏することができる。したがって、露光処理部２は、処理する対象となる感光材料の種類（印画紙Ｐ、又は写真フィルム）に応じて設けるようにすればよい。
【００８４】
上記実施形態において、電動ファンを駆動する電動機としてブラシレスＤＣモータ４０２ａを採用したが、これに限定されるものではなく、電動機は、例えば、ブラシ付きＤＣモータや、サーボモータ等のであってもよい。つまり、電動ファン４０２は、回転数を高くしても回転トルクが低下することのない直流（ＤＣ）モータで駆動するようにすればよい。ただし、制御系に対するノイズを考慮すれば、上記実施形態と同様に電動ファン４０２の駆動源にブラシレスＤＣモータ４０２ａを採用することが好ましい。
【００８５】
上記実施形態において、送風機４０２ｃにクロスフローファンを採用したが、送風機４０２ｃはこれに限定されるものではなく、例えば、シロッコファンやターボファン等であってもよい。ただし、静音化を考慮すれば、上記実施形態と同様にクロスフローファンを採用することが好ましい。
【００８６】
上記実施形態において、ヒータ４００の発熱量を予め設定した後は、電動ファン４０２による送風量のみの制御を行うことで、印画紙Ｐを乾燥処理する際に乾燥室Ｄ内を所定の乾燥温度（温度雰囲気）に保つようにしたが、これに限定されるものではなく、例えば、ヒータ４００の発熱量、及び電動ファン４０２の送風量の何れもが変化できるように構成し、ヒータ４００の発熱状態に対応して電動ファン４０２の送風量を調節するようにしてもよい。つまり、乾燥室Ｄ内を予め設定した乾燥温度で維持させることのできる熱風を乾燥室Ｄ内に送り込めるように、ヒータ４００からの熱量と、電動ファン４０２の送風量とを適宜変化させるようにしてもよい。
【００８７】
上記実施形態において、ブラシレスＤＣモータ４０２ａの回転数を検出する検出センサーとしてホールセンサーを採用したが、これに限定されるものではなく、例えば、当該ブラシレスＤＣモータ４０２ａの駆動軸にエンコーダを取り付け、該エンコーダの出力により回転数を検出するようにしてもよい。また、ＤＣモータの回転数を表示する表示手段は、必要に応じて設ければよいが、電動ファン４０２（ブラシレスＤＣモータ４０２ａ）の回転状態を把握するのに上記実施形態と同様に設けることが好ましい。
【００８８】
上記実施形態においてヒータ４００を熱量可変に構成したが、これに限定されるものではなく、例えば、発熱量が不変のヒータ４００を採用してもよい。このようにしても、上述の如く、電動ファン４０２による送風量を変えることで、短時間で乾燥室Ｄを乾燥温度にすることができる。ただし、当該写真処理装置は、種々の環境下に設定されるため、ヒータ４００には上記実施形態と同様に熱量可変に構成したものを採用することが好ましい。
【００８９】
上記実施形態において、ブラシレスＤＣモータ４０２ａが所定の回転数で回転しているか否かを判断する判断手段を設け、該判断手段でブラシレスＤＣモータ４０２ａが所定の回転数以外の回転数で駆動していると判断した際に（乾燥処理部４内にトラブルが発生していると判断した際に）、その旨を警告する警告手段を設けたが、これに限定されるものではなく、前記判断手段、及び警告手段は必要に応じて設ければよい。ただし、上述の如く、乾燥処理部４内での二次トラブルの発生の防止等の観点を鑑みれば、上記実施形態と同様に判断手段、及び警告手段を設けることが好ましい。
【００９０】
上記実施形態において、乾燥処理部４内のトラブルを警告する警告手段として、モニター１０及びブザー１５を設けたが、これに限定されるものではなく、例えば、警告手段をモニター１０又はブザー１５の何れか一方で構成するようにしてもよい。また、写真処理装置を操作するための表示を行うモニター１０を、ブラシレスＤＣモータ４０２ａの回転数を表示する表示手段、及び前記警告手段として兼用したが、これに限定されるものではなく、例えば、表示手段、及び警告手段としてモニター等の表示装置を別途独立して設けるようにしてもよい。
【００９１】
上記実施形態において、始動時のみに補助ヒータ４０３を発熱させるようにしたが、これに限定されるものではなく、例えば、印画紙Ｐを乾燥処理するに際し、ヒータ４００の発熱量では乾燥室Ｄを乾燥温度に出来ない場合に、補助ヒータ４０３を発熱させ得る構成にしても勿論よい。
【００９２】
上記実施形態において、始動時に発熱させる補助ヒータ４０３を設けたが、これに限定されるものではなく、例えば、前記ヒータ４００に発熱量可変で且つ最大発熱量の高いものを採用し、ウォームアップ時にヒータ４００の発熱量を高くし、ウォームアップ終了後にヒータ４００の発熱量を低くするようにしてもよい。この場合においても、ヒータ４００の発熱量が高い状態でブラシレスＤＣモータ４０２ａの回転数を高くして送風量を多くすることは勿論のことである。
【００９３】
また、上記実施形態において、ヒータ４００の発熱量を予め設定し、該発熱量に対応した送風量となるように電動ファン４０２（ブラシレスＤＣモータ４０２ａ）の回転数を自動的に変化させるように構成したが、これに限定されるものではなく、例えば、電動ファン４０２の送風量を手動で調整できるようにしたり、手動と自動とを切り換え可能に構成したりしてもよい。
【００９４】
上記実施形態において、印画紙Ｐを乾燥させる際における電動ファン４０２の送風量（ブラシレスＤＣモータ４０２ａの回転数）を温度センサー４２による実測温度と予め設定した乾燥温度との差に応じて随時変化させ、乾燥室Ｄ内を乾燥温度で略一定に保つようにしたが、これに限定されるものではなく、例えば、ウォームアップ後においては、ヒータ４００の発熱量、及び電動ファン４０２の送風量を一定に保つようにしても勿論よい。ただし、乾燥室Ｄ内での印画紙Ｐに対する乾燥処理の質を上げるべく、乾燥室Ｄ内の温度を精度を上げて制御するには、上記実施形態と同様に、電動ファン４０２の送風量を制御するようにすることが好ましい。
【００９５】
上記実施形態において、印画紙Ｐにデジタル的に露光処理を施すように露光処理部２を構成したが、これに限定されるものではなく、例えば、露光処理部２を印画紙Ｐに対してアナログ的に露光処理できるように構成してもよい。つまり、露光処理部２での露光方式はデジタル、又はアナログの何れであってもよい。
【図面の簡単な説明】
【００９６】
【図１】本発明の一実施形態にかかる写真処理装置の全体斜視図を示す。
【図２】同実施形態にかかる写真処理装置の概略構成図を示す。
【図３】同実施形態にかかる乾燥処理部に電気的なブロック図を示す。
【符号の説明】
【００９７】
１…操作部、２…露光処理部、３…現像処理部、４…乾燥処理部、５…回収部、１０…モニター（表示手段、警告手段）、１１…入力装置、１２…読込装置、１３…スキャナー装置、１４…コンピュータ本体、１５…ブザー（警告手段：警報器）、２０ａ，２０ｂ…マガジン、２１…切断装置、２２…搬送装置、２３…露光装置、３０…現像処理槽、３０ａ，３０ｂ，３０ｃ…槽、３１…搬送系、４０…熱風発生装置、４１…ラック、４２…温度センサー、５０…振分装置、５１…仕分装置、１１０…キーボード、１１１…マウス、１４０…ＣＰＵ、１４１…ＲＯＭ、１４２…ＲＡＭ、１４４…制御基板、１４５…Ｉ／Ｏインターフェイス、２１０ａ，２１０ｂ…カッター、２２０…レール、２２１…搬送体、２３０…露光ヘッド、２３１…露光用搬送ローラ対、２３２…光源、２３３…光ファイバー束、２３４…光シャッター、４００…ヒータ、４０１…送風ダクト、４０１ａ…熱風吹出口、４０２…電動ファン、４０２ａ…ブラシレスＤＣモータ（電動機：ＤＣモータ）、４０２ｂ…駆動基板、４０２ｃ…送風機、４０２ｄ…ホールセンサー（検出センサー）、４０３…補助ヒータ、４１０…搬送系、５００…振分板、５０１…トレー、５１０…コンベア、５１１…受皿、Ｄ…乾燥室、Ｓ…熱風発生装置収容部、Ｐ…印画紙（感光材料）、Ｗ…現像液
【図１】
2005215451.tif 000003
【図２】
2005215451.tif 000004
【図３】
2005215451.tif 000005